(57)【要約】【課題】低消費電力モードから通常モードへ復帰する際に、ユーザにとってより適切な状態で復帰させることができる画像処理装置を提供する。【解決手段】起動処理部４０３は、電力制御部４０１による低消費電力モードから通常モードへの移行の際に、スナップショット格納部４０２に格納されたスナップショットを読み出して作業メモリ上に復帰させる。時刻取得部４０４は、起動処理部４０３による復帰に対応する起動時刻を取得する。退避処理部４０５は、通常モードから低消費電力モードへの移行の際に、作業メモリのスナップショットを当該起動時刻と対応づけてスナップショット格納部４０２に格納する。スナップショット選択部４０６は、低消費電力モードから通常モードへの移行の際に、当該移行時刻と上記起動時刻とに基づいて、スナップショット格納部４０２に格納されたスナップショットの中から起動処理部４０３が読み出すスナップショットを選択する。【選択図】図４
2012249220.tif 000002
【特許請求の範囲】
【請求項１】
複数の機能を実行可能であり、各機能に応じた操作画面を有する画像処理装置であって、
通常モードと、前記通常モードに比べて消費電力量が少ない低消費電力モードとを含む複数の電力供給モードを切り替える電力制御部と、
前記通常モードにおいて、画像処理装置の機能を実現するためのデータが展開される作業メモリと、
不揮発性記憶媒体からなり、前記作業メモリに格納されたデータのイメージデータであるスナップショットを格納するスナップショット格納部と、
前記電力制御部により前記低消費電力モードから前記通常モードに移行される際に、前記スナップショット格納部に格納されたスナップショットを読み出し、当該スナップショットを前記作業メモリ上に復帰させる起動処理部と、
前記起動処理部による復帰に対応する起動時刻を取得する時刻取得部と、
前記電力制御部により前記通常モードから前記低消費電力モードに移行される際に、前記作業メモリのスナップショットを、前記時刻取得部が取得した起動時刻と対応づけて前記スナップショット格納部に格納する退避処理部と、
前記電力制御部により前記低消費電力モードから前記通常モードに移行される際に、当該移行の時刻と前記起動時刻とに基づいて、前記スナップショット格納部に格納されたスナップショットの中から前記起動処理部が読み出すスナップショットを選択するスナップショット選択部と、
を備える画像処理装置。
【請求項２】
前記画像処理装置が前記複数の機能を実現するための複数のユニットを含み、
前記低消費電力モードから前記通常モードに移行される際に、優先指定された機能を実現する前記画像処理装置のユニットを優先的に実行可能状態にする優先起動部と、
前記通常モードから前記低消費電力モードに移行される際に、前記優先起動する機能を選択する機能選択部と、
をさらに備え、
前記通常モードから前記低消費電力モードに移行される際に、前記退避処理部が、前記スナップショットを、前記機能選択部が選択した機能と対応づけて前記スナップショット格納部に格納するとともに、前記低消費電力モードから前記通常モードに移行される際に、前記スナップショット選択部が、選択したスナップショットに対応づけられた機能を優先起動させる機能として前記優先起動部に指定する、請求項１記載の画像処理装置。
【請求項３】
前記低消費電力モードから前記通常モードに移行された後に、前記画像処理装置に対してなされた操作の履歴を保持する履歴保持部をさらに備え、前記機能選択部は、前記退避処理部がスナップショットの格納を開始する時点で前記履歴保持部に保持された操作履歴に基づいて、前記優先起動させる機能を選択する、請求項２記載の画像処理装置。
【請求項４】
前記優先起動部が、優先指定された機能に対応する操作画面を、ユーザによる画像処理装置への指示の入力に使用される表示部に表示させる、請求項２または３記載の画像処理装置。
【発明の詳細な説明】
【技術分野】
【０００１】
本発明は、通常モードと、前記通常モードに比べて消費電力量が少ない低消費電力モードとを含む複数の電力供給モードを切り替え可能な画像処理装置に関する。
【背景技術】
【０００２】
近年、オフィス等において、複数の機能を備える複合機（ＭＦＰ：Multi Function Peripheral）が使用されている。複合機は、ＬＡＮ（Local Area Network）等のネットワークを通じてパーソナルコンピュータ等の情報処理端末と接続された状況で使用されることが多い。そして、情報処理端末から入力された画像データを用紙上に印刷するプリンタ装置として機能したり、情報処理端末から入力された画像データをファクシミリ送信するファクシミリ装置として機能したり、情報処理端末において使用される画像データを取得する画像読取装置として機能したり、文書画像データを検索可能に蓄積する文書管理装置として機能したりする。
【０００３】
また、このような複合機では、環境負荷軽減のため、未使用時等に、複合機の全体に電力を供給する通常モードから、消費電力量を少なくした低消費電力モード（スリープモード）へ、電力供給モードを切り替える機能が広く採用されている。そして、このような機能を有する複合機への適用を目的として、低消費電力モードから通常モードへの復帰に関する種々の技術が提案されている（例えば、特許文献１〜３参照）。
【０００４】
特許文献１は、ユーザにより登録されたデータをハードディスク記憶手段から読み出して記憶する切替メモリと、低消費電力モードから通常モードへの復帰に伴い、ハードディスク記憶手段へ電力供給が開始されると、切替メモリに登録されたユーザ登録データを表示手段に選択可能に表示するアクセス切替手段とを備える画像形成装置を開示している。この技術では、電力供給の開始からハードディスク記憶手段の動作準備が完了するまでの、ハードディスク記憶手段からデータを読み出すことができない期間内であっても、ユーザ登録データの使用が可能になる。
【０００５】
また、特許文献２は、上述のような電力供給モードの切り替えの際に低消費電力モードに移行する直前の画面データを記憶する画面記憶部を備える表示制御装置を開示している。この技術では、低消費電力モードに移行していた時間が所定時間内であるときは、同一ユーザによる連続的な操作であると推定し、画面記憶部の画面データを読み出して表示装置に表示する。また、所定時間内でないときは、同一ユーザによる連続的な操作でないと推定し、初期画面を表示装置に表示する。これにより、電力供給モードの切り替えが頻繁に発生する場合でも、操作の連続性を確保している。
【０００６】
さらに、特許文献３は、複合機の全体制御を行う主制御部とＬＣＤ（Liquid Crystal Display）パネルの制御を行う操作部制御部を備える複合機において、ブート処理データや復帰時初期画面データを、主制御部の記憶媒体ではなく、操作部制御部の不揮発性記憶媒体に保存する構成を開示している。より具体的には、ブート処理データを不揮発性のＮＯＲ型フラッシュメモリに保存するとともに、復帰時初期画面データを不揮発性のＮＡＮＤ型フラッシュメモリに保存し、復帰時にこれらからブート処理データ、復帰時初期画面データを読み出すことで復帰時間の短縮を実現している。また、特許文献３では、復帰時初期画面データを生成する画面生成部を備え、画面生成部が、複合機が低消費電力モードに移行する際に取得された複合機の周辺機器構成やトナー残量等の機器情報を取得して当該機器情報を反映させた復帰時初期画面データを生成するようになっている。
【先行技術文献】
【特許文献】
【０００７】
【特許文献１】特開２０１０−２０４４２８号公報
【特許文献２】特開２００７−０８６２３０号公報
【特許文献３】特開２００９−１３５８７３号公報
【発明の概要】
【発明が解決しようとする課題】
【０００８】
近年、複数の機能を有する複合機等では、ファクシミリ送信、複写、印刷、文書蓄積、データ送信等の各機能を実行する際に、ユーザは、多くの設定項目について所望のパラメータを設定できるようになっている。そのような多項目に対する設定をユーザが容易にできるように、複合機では、各種設定を行うための操作画面を機能ごとに有することが通常になっている。
【０００９】
このような複合機に、例えば、特許文献１が開示する技術を適用した場合、低消費電力モードから通常モードへ復帰する際に表示部に表示される操作画面は、ユーザが予め指定したデータになる。すなわち、当該指定に変更がなされない限り、復帰時には、同一の操作画面が表示部に表示されることになる。この場合、通常モードに復帰した複合機が有するいずれかの機能を使用しようとするユーザにとって、表示された操作画面が適切な操作画面であるか否かは不明である。
【００１０】
また、特許文献２が開示する技術を適用した場合、通常モードへの復帰時に表示部に表示される操作画面は、同一ユーザによる連続的な操作であると推定されるときは、当該ユーザが操作していた画面になるが、同一ユーザによる連続的な操作でないと推定されるときは、初期画面が表示される。すなわち、異なるユーザによる使用と推定される状況下では、復帰時に、単一の操作画面が表示部に表示されることになる。この場合も、通常モードに復帰した複合機が有するいずれかの機能を使用しようとするユーザにとって、表示された操作画面が適切な操作画面であるか否かは不明である。
【００１１】
さらに、特許文献３が開示する技術を適用した場合、復帰時に表示部に表示される操作画面は、低消費電力モード移行時の機器情報を反映した復帰時初期画面データである。この構成では、低消費電力モードに移行する際の機器情報が、復帰時に表示部に表示されることになる。この場合、機器情報が表示されることはユーザによって利点であるが、通常モードに復帰した複合機が有するいずれかの機能を使用しようとするユーザにとって、表示された操作画面が適切な操作画面であるか否かは不明である。
【００１２】
すなわち、上記特許文献１〜３が開示する技術では、低消費電力モードから通常モードへ復帰した複合機の状態が、ユーザにとって適切な状態であるか否かが何ら考慮されることなく復帰されている。
【００１３】
本発明は、このような従来技術の課題を鑑みてなされたものであり、低消費電力モードから通常モードへ復帰する際に、通常モードに復帰した複合機が有するいずれかの機能を使用しようとするユーザにとって、より適切な状態で復帰させることができる、画像処理装置を提供することを目的とする。
【課題を解決するための手段】
【００１４】
上述の目的を達成するために、本発明に係る画像処理装置は以下の技術的手段を採用している。すなわち、本発明は、複数の機能を実行可能であり、各機能に応じた操作画面を有する画像処理装置であって、電力制御部、作業メモリ、スナップショット格納部、起動処理部、時刻取得部、退避処理部およびスナップショット選択部を備える。複数の機能とは、例えば、複写等の画像形成、画像読取、ファクシミリ送信、ネットワーク送信等を含む。電力制御部は、通常モードと、当該通常モードに比べて消費電力量が少ない低消費電力モードとを含む複数の電力供給モードを切り替える。作業メモリには、通常モードにおいて、画像処理装置の機能を実現するためのデータが展開される。スナップショット格納部は、不揮発性記憶媒体からなり、作業メモリに格納されたデータのイメージデータであるスナップショットを格納する。起動処理部は、電力制御部により低消費電力モードから通常モードに移行される際に、スナップショット格納部に格納されたスナップショットを読み出し、当該スナップショットを作業メモリ上に復帰させる。時刻取得部は、起動処理部による復帰に対応する起動時刻を取得する。退避処理部は、電力制御部により通常モードから低消費電力モードに移行される際に、作業メモリのスナップショットを、時刻取得部が取得した起動時刻と対応づけてスナップショット格納部に格納する。そして、スナップショット選択部は、電力制御部により低消費電力モードから通常モードに移行される際に、当該移行の時刻と上記起動時刻とに基づいて、スナップショット格納部に格納されたスナップショットの中から起動処理部が読み出すスナップショットを選択する。
【００１５】
この画像処理装置によれば、低消費電力モードから通常モードに移行する際に、その移行時刻に応じた状態で復帰させることができる。例えば、オフィス等で使用される複合機等では、時間帯によって、使用される機能に偏りが発生する。これは、オフィス等では、ユーザが実施する業務に、日常的に実施される業務が存在し、このような日常的業務は、毎日、特定の時間帯に実施される傾向にあることに起因する。上記構成を有する画像形成装置によれば、低消費電力モードから通常モードに移行する際に、その時間帯に復帰された画像処理装置が、その後、低消費電力モードに移行した際の状態で、通常モードに復帰されることになる。例えば、過去の対応する時間帯に、画像処理装置が低消費電力モードから通常モードに復帰され、ファクシミリ機能が使用されて、そのまま低消費電力モードに移行していた場合、画像処理装置の表示部には、ファクシミリ機能の操作画面が表示される。したがって、上記構成を採用することで、低消費電力モードから通常モードへ復帰する際に、画像処理装置を使用しようとするユーザにとって、従来技術に比べてより適切な状態で復帰させることが可能になる。また、スナップショットを作業メモリ上に復帰させる構成であるため、オペレーティングシステムやアプリケーションソフトを順次起動する構成に比べて、短時間で画像形成装置を操作可能な状態に復帰できることになる。
【００１６】
上記画像処理装置が上記複数の機能を実現するための複数のユニットを含む場合、優先起動部および機能選択部をさらに備える構成を採用することができる。ここで、優先起動部は、低消費電力モードから通常モードに移行される際に、優先指定された機能を実現する画像処理装置のユニットを優先的に実行可能状態にする。また、機能選択部は、通常モードから低消費電力モードに移行される際に、優先起動する機能を選択する。この構成では、通常モードから低消費電力モードに移行される際に、退避処理部が、スナップショットを、機能選択部が選択した機能と対応づけてスナップショット格納部に格納する。そして、低消費電力モードから通常モードに移行される際に、スナップショット選択部が、選択したスナップショットに対応づけられた機能を優先起動させる機能として優先起動部に指定する。なお、ユニットとは、互いに独立して電力が供給されるように構成された、画像処理装置の構成要素を意味し、１つの機能が１のユニットまたは複数のユニットの組み合わせにより実現される。
【００１７】
この構成によれば、特定の時間帯に、日常業務等で使用される可能性の高い画像処理装置の機能を、優先して起動させることが可能になる。その結果、画像処理装置の使用をより速やかに開始することができる。また、当該構成において、低消費電力モードから通常モードに移行された後に、画像処理装置に対してなされた操作の履歴を保持する履歴保持部をさらに備える構成を採用することもできる。この構成では、機能選択部は、退避処理部がスナップショットの格納を開始する時点で履歴保持部に保持された操作履歴に基づいて、優先起動させる機能を選択する。この構成では、例えば、低消費電力モードから通常モードに移行後、ある機能が使用され、その後、他の操作がなされた場合でも、通常モードに移行後に最初に使用された機能を優先起動する機能として指定することができる。これらの構成では、優先起動部が、優先指定された機能に対応する操作画面を、ユーザによる画像処理装置への指示の入力に使用される表示部に表示させることが好ましい。これにより、復帰されたスナップショットに基づいて表示部に表示される操作画面に対応する機能と、優先起動する機能とが相違する場合でも、通常モードへの復帰時に、優先起動する機能に対応する操作画面を表示部に表示することができる。
【発明の効果】
【００１８】
本発明によれば、低消費電力モードから通常モードへ復帰する際に、通常モードに復帰した画像処理装置が有するいずれかの機能を使用しようとするユーザにとって、従来に比べてより適切な状態で画像処理装置を復帰させることができる。
【図面の簡単な説明】
【００１９】
【図１】本発明の一実施形態における複合機の全体構成を示す概略構成図
【図２】本発明の一実施形態における複合機の操作パネルを示す模式図
【図３】本発明の一実施形態における複合機のハードウェア構成を示す図
【図４】本発明の一実施形態における複合機を示す機能ブロック図
【図５】本発明の一実施形態における複合機が実施する低消費電力モード切替手順の一例を示すフロー図
【図６】本発明の一実施形態における複合機が実施する優先機能選択手順の一例を示すフロー図
【図７】本発明の一実施形態における複合機が実施する通常モード復帰手順の一例を示すフロー図
【発明を実施するための形態】
【００２０】
以下、本発明の一実施形態について、図面を参照しながらより詳細に説明する。以下では、デジタル複合機として本発明を具体化する。本実施形態のデジタル複合機は、画像読取機能、画像形成機能（複写機能およびプリンタ機能）、ファクシミリ送受信機能、ネットワーク送受信機能を含む複数の機能を実行可能に構成されている。また、このデジタル複合機は、複合機の全体に電力を供給する通常モードと、複合機の一部のみに電力を供給することにより消費電力量を少なくした低消費電力モード（スリープモード）とを含む複数の電力供給モードを切り替え可能に構成されている。
【００２１】
図１は本実施形態におけるデジタル複合機の全体構成の一例を示す概略構成図である。図１に示すように、複合機１００は、画像読取部１２０および画像形成部１４０を含む本体１０１と、本体１０１の上方に取り付けられたプラテンカバー１０２とを備える。本体１０１の上面には原稿台１０３が設けられており、原稿台１０３はプラテンカバー１０２によって開閉されるようになっている。また、プラテンカバー１０２は、原稿搬送装置１１０を備えている。
【００２２】
原稿台１０３の下方には、画像読取部１２０が設けられている。画像読取部１２０は、走査光学系１２１により原稿の画像を読み取りその画像のデジタルデータ（画像データ）を生成する。原稿は、原稿台１０３や原稿搬送装置１１０に載置することができる。走査光学系１２１は、第１キャリッジ１２２や第２キャリッジ１２３、集光レンズ１２４を備える。第１キャリッジ１２２には線状の光源１３１およびミラー１３２が設けられ、第２キャリッジ１２３にはミラー１３３および１３４が設けられている。光源１３１は原稿を照明する。ミラー１３２、１３３、１３４は、原稿からの反射光を集光レンズ１２４に導き、集光レンズ１２４はその光像をラインイメージセンサ１２５の受光面に結像する。この走査光学系１２１において、第１キャリッジ１２２および第２キャリッジ１２３は、副走査方向１３５に往復動可能に設けられている。第１キャリッジ１２２および第２キャリッジ１２３を副走査方向１３５に移動することによって、原稿台１０３に載置された原稿の画像をイメージセンサ１２５で読み取ることができる。
【００２３】
原稿搬送装置１１０にセットされた原稿の画像を読み取る場合、画像読取部１２０は、第１キャリッジ１２２および第２キャリッジ１２３を画像読取位置に合わせて一時的に固定し、画像読取位置を通過する原稿の画像をイメージセンサ１２５で読み取る。イメージセンサ１２５は、受光面に入射した光像から、例えば、Ｒ（レッド）、Ｇ（グリーン）、Ｂ（ブルー）の各色に対応する原稿の画像データを生成する。
【００２４】
生成された画像データは、画像形成部１４０において用紙に印刷することができる。また、ネットワークアダプタ１６１によりネットワーク１６２を通じて他の機器へ送信することもできる。さらには、ＦＡＸアダプタ１６３により公衆通信回線１６４を通じてファクシミリ送信することもできる。
【００２５】
画像形成部１４０は、画像読取部１２０で得た画像データや、ネットワーク１６２に接続された他の機器（図示せず）からネットワークアダプタ１６１が受信した画像データや、公衆通信回線１６４を通じてＦＡＸアダプタ１６３が受信した画像データを用紙に印刷する。
【００２６】
画像形成部１４０は、感光体ドラム１４１を備える。感光体ドラム１４１は一定速度で一方向に回転する。感光体ドラム１４１の周囲には、回転方向の上流側から順に、帯電器１４２、露光器１４３、現像器１４４、中間転写ベルト１４５が配置されている。帯電器１４２は、感光体ドラム１４１表面を一様に帯電させる。露光器１４３は、一様に帯電した感光体ドラム１４１の表面に、画像データに応じて光を照射し、感光体ドラム１４１上に静電潜像を形成する。現像器１４４は、その静電潜像にトナーを付着させ、感光体ドラム１４１上にトナー像を形成する。中間転写ベルト１４５は、感光体ドラム１４１上のトナー像を用紙に転写する。画像データがカラー画像である場合、中間転写ベルト１４５は、各色のトナー像を同一の用紙に転写する。なお、ＲＧＢ形式のカラー画像は、Ｃ（シアン）、Ｍ（マゼンタ）、Ｙ（イエロー）、Ｋ（ブラック）形式の画像データに変換され、各色の画像データが露光器１４３に入力される。
【００２７】
画像形成部１４０は、手差しトレイ１５１、給紙カセット１５２、１５３、１５４等から、中間転写ベルト１４５と転写ローラ１４６との間の転写部に用紙を給送する。手差しトレイ１５１や各給紙カセット１５２、１５３、１５４には、様々なサイズの用紙を載置または収容することができる。画像形成部１４０は、ユーザの指定した用紙や、自動検知した原稿のサイズに応じた用紙を選択し、選択した用紙を給送ローラ１５５により手差しトレイ１５１やカセット１５２、１５３、１５４から引き出す。引き出した用紙は搬送ローラ１５６やレジストローラ１５７で転写部に送り込む。トナー像を転写した用紙は、搬送ベルト１４７により定着器１４８に搬送される。定着器１４８は、ヒータを内蔵した定着ローラ１５８および加圧ローラ１５９を有しており、熱と押圧力によってトナー像を用紙に定着する。画像形成部１４０は、定着器１４８を通過した用紙を排紙トレイ１４９へ排紙する。
【００２８】
図２は複合機が備える操作パネルの外観の一例を示す図である。ユーザは、操作パネル２００を用いて、複合機１００に複写開始やその他の指示を与えたり、複合機１００の状態や設定を確認したりすることができる。操作パネル２００には、タッチパネル付きディスプレイ２０１や操作キー２０３が配置されている。ディスプレイ２０１は、操作ボタンやメッセージ等を表示する液晶ディスプレイ等からなる表示面と、当該表示面上の押圧位置を検出するセンサとを備える。押圧位置の検知方法は特に限定されない。抵抗膜方式、静電容量方式、表面弾性波方式、電磁波方式等、任意の方式を採用することができる。ユーザは、自身の指やタッチペン２０２を使用して、ディスプレイ２０１を通じて入力を行うことができる。
【００２９】
ディスプレイ２０１は、ボタン表示部２０４、メッセージ表示部２０５およびステータス表示部２０６を有する操作画面を表示する。ボタン表示部２０４には、複数のタブ２０８が用意されており、各タブにはそのタブのカテゴリーに応じた操作ボタンが配列されている。「簡単設定」タブは、基本的な設定に使用される操作ボタンを有する。図２の例では、用紙サイズ、複写倍率、濃度、印刷面、ページ集約、後処理を設定するための操作ボタンが配列されている。例えば「濃度」ボタン２０７を押圧する操作をユーザが行うと、濃度を選択するための「薄い」、「ふつう」、「濃い」等の選択ボタンを有するポップアップ画面がその操作ボタン上に重ねて表示され、ユーザの選択（押圧）によりその濃度が設定される。図２の例では、「簡単設定」タブの他、「原稿／用紙／仕上げ」タブ、「カラー／画質」タブ、「レイアウト／編集」タブ、「応用／その他」タブも設けられている。ユーザは、タブボタン２０８を選択する操作を行うことによって、これらのタブの表示に切り替えることができる。一つのタブが選択されている間、操作画面上で他のタブやその要素は隠れている。
【００３０】
メッセージ表示部２０５には、複写が可能か否か、複写部数などの設定をユーザに通知するメッセージが表示される。また、ステータス表示部２０６には、必要に応じて装置ステータス情報が表示される。この表示には、複合機１００が備える各種センサの検知結果が反映される。装置ステータス情報とは、装置は動作可能な状態にあるが、異常への対応を促す警告をユーザに通知するメッセージを意味する。例えば、用紙残量が少ない旨、原稿台１０３が汚れている旨、ファクシミリのメモリ受信が設定されている場合にファックス文書がメモリに格納された旨等が含まれる。また、用紙切れや搬送ジャム等が装置ステータス情報に含まれてもよい。
【００３１】
操作キー２０３は、電源キー２０９、テンキー２１０やスタートキー２１１、クリアキー２１２等を含む。例えば、電源キー２０９は、複合機１００のＯＮ、ＯＦＦの切り替えに使用される。なお、ここでは、電源ＯＮが上記通常モードに対応し、電源ＯＦＦが低消費電力モードに対応する。テンキー２１０は、複写部数の指定や複写倍率の設定に用いることができる。ユーザがそれらの設定をすると、複合機１００は、メッセージ表示部２０５に、例えば、「コピーできます（設定あり）」のようなメッセージを表示し、ユーザによる設定が行われたことを通知する。スタートキー２１１は、複写や画像印刷の開始指示に使用される。ユーザは、自身でした設定を解除する場合、クリアキー２１２を操作する。ユーザによる設定を機械が受け付けているかどうかは上述のメッセージで判断することができるので、その設定が不要になればクリアキー２１２を操作すればよい。
【００３２】
なお、図２では、複合機１００の機能として、「Ｃｏｐｙ」（画像読取部１２０における画像データの生成および画像形成部１４０における画像データの印刷）が、操作キー２０３により選択された場合にディスプレイ２０１に表示される操作画面を例示している。「Ｓｅｎｄ」（ネットワークアダプタ１６１を通じた画像データの送信およびＦＡＸアダプタ１６３を通じた画像データの送信）や「Ｄｏｃｕｍｅｎｔ Ｂｏｘ」（画像読取部１２０における画像データの生成）等の他の機能が選択された場合には、選択された機能に応じた操作画面がディスプレイ２０１に表示される。
【００３３】
図３は、複合機における制御系のハードウェア構成図である。本実施形態の複合機１００は、ＣＰＵ（Central Processing Unit）３０１、ＲＡＭ（Random Access Memory）３０２、ＲＯＭ（Read Only Memory）３０３、ＨＤＤ（Hard Disk Drive）３０４および原稿搬送装置１１０、画像読取部１２０、画像形成部１４０における各駆動部に対応するドライバ３０５が内部バス３０６を介して接続されている。ＲＯＭ３０３やＨＤＤ３０４等はプログラムを格納しており、ＣＰＵ３０１はその制御プログラムの指令にしたがって複合機１００を制御する。例えば、ＣＰＵ３０１はＲＡＭ３０２を作業領域として利用し、ドライバ３０５とデータや命令を授受することにより上記各駆動部の動作を制御する。また、ＨＤＤ３０４は、画像読取部１２０により得られた画像データ、他の機器からネットワークアダプタ１６１を通じて受信した画像データ、ＦＡＸアダプタ１６３を通じて受信した画像データの蓄積にも用いられる。なお、本実施形態では、ＲＡＭ３０２が、複合機１００の各機能を実現するためのデータが展開される作業メモリとして機能し、ＨＤＤ３０４がＲＡＭ３０２に格納されたデータのイメージデータ（ＲＡＭイメージ）であるスナップショットを格納するスナップショット格納部として機能する。
【００３４】
内部バス３０６には、操作パネル２００や各種のセンサ３０７も接続されている。操作パネル２００は、ユーザの操作を受け付け、その操作に基づく信号をＣＰＵ３０１に供給する。また、ディスプレイ２０１は、ＣＰＵ３０１からの制御信号にしたがって上述の操作画面を表示する。センサ３０７は、プラテンカバー１０２の開閉検知センサや原稿台１０３上の原稿検知センサ、定着器１４８の温度センサ、搬送される用紙または原稿の検知センサなど各種のセンサを含む。ＣＰＵ３０１は、例えばＲＯＭ３０３に格納されたプログラムを実行することで、以下の各手段（機能ブロック）を実現するとともに、これらセンサからの信号に応じて各手段の動作を制御する。
【００３５】
図４は、本実施形態の複合機の機能ブロック図である。図４に示すように、本実施形態の複合機１００は、電力制御部４０１、スナップショット格納部４０２、起動処理部４０３、時刻取得部４０４、退避処理部４０５、スナップショット選択部４０６を備える。また、表示制御部４１１、操作認識部４１２、動作制御部４１３、計時部４１４を備える。
【００３６】
表示制御部４１１は、上述の操作画面をディスプレイ２０１の表示面に表示する。表示制御部４１１は、操作画面に含まれる、操作ボタンやメッセージ等の各要素の表示位置を示す情報（例えば、表示面上の座標）を保持している。ディスプレイ２０１の表示面に対してなされた操作は、ディスプレイ２０１の押圧位置を検出するセンサにより検出され、その押圧位置の座標が操作認識部４１２に取得される。操作認識部４１２は、表示制御部４１１が保持する画面要素の座標と押下位置とに基づいてユーザの操作内容を認識する。また、操作認識部４１２は、操作パネル２００の操作キー２０３の押下も認識する。
【００３７】
動作制御部４１３は、例えば、操作認識部４１２が認識した指示に基づいて、画像読取部１２０における画像データの生成、画像形成部１４０における画像データの印刷、ネットワークアダプタ１６１を通じた画像データの送受信、ＦＡＸアダプタ１６３を通じた画像データの送受信等を実行する。なお、複合機１００では、画像読取部１２０、画像形成部１４０、ネットワークアダプタ１６１、ＦＡＸアダプタ１６３にはそれぞれ独立して電力供給が可能なユニットとして構成されており、動作制御部４１３の指示に応じて、互いに独立して、電力が供給される動作状態と電力供給が停止された停止状態とが切り替えられるユニットとして構成されている。また、計時部４１４は、時刻を計時し、その時刻情報を出力するタイマーで構成される。計時部４１４は、少なくとも、１日（２４時間）の中のどの時刻かが計時できればよいが、本実施形態では、年、月、日、時、分、秒を計時可能な構成になっている。
【００３８】
また、電力制御部４０１は、複合機１００の全体に電力を供給する通常モードと、複合機１００の一部のみに電力を供給することにより消費電力量を少なくした低消費電力モードとを含む複数の電力供給モードを切り替える。通常モードから低消費電力モードへの移行、および低消費電力モードから通常モードへの移行は、予め登録されている条件を満足する場合に実行される。例えば、通常モードから低消費電力モードへの移行の条件として、複合機１００への指示が入力されない状態が予め指定された一定時間継続すること、を採用することができる。このような時間経過は、計時部４１４が出力する時刻情報に基づいて認識することができる。また、低消費電力モードから通常モードへの移行の条件として、複合機１００への指示が入力されたこと、を採用することができる。ここで、複合機１００への指示は、ユーザによる操作パネル２００を介した指示（例えば、電源キー２０９の押下）を意味する。ネットワークアダプタ１６１を介した画像データの受信やＦＡＸアダプタ１６３を介した画像データの受信によっても、複合機１００はデータ受信のために低消費電力モードから離脱する必要があるが、このような場合は、ユーザが操作画面を通じて複合機１００に何らかの指示を与える必要はない。すなわち、ディスプレイ２０１に操作画面を表示する必要がなく、画像データの受信に必要な構成要素のみに電力を供給すればよい。したがって、本実施形態では、複合機１００の全体に電力を供給する通常モードへは移行せず、ネットワークデータ受信モードやＦＡＸデータ受信モード等の専用の電力供給モードに移行する構成を採用している。
【００３９】
なお、低消費電力モードでは、複合機１００の一部のみに電力を供給することで、低消費電力モードから他の電力供給モードへの移行条件を満たすか否かを検知することができる状態に、複合機１００は維持される。例えば、上記復帰条件を満たすか否かの検知に無関係なセンサ（例えば、プラテンカバー開閉検知センサや原稿検知センサ等）、ＲＡＭ３０２、ＨＤＤ３０４、各ユニット（画像読取部１２０、画像形成部１４０、ネットワークアダプタ１６１、ＦＡＸアダプタ１６３）等への電力供給が停止される。また、ＣＰＵ３０１に対しても、上記検知に必要な最小限の電力のみが供給される。なお、計時部４１４は、低消費電力モードにおいても計時を継続することが好ましい。しかしながら、例えば、ネットワークアダプタ１６１を通じたインターネット時刻の受信や、標準周波数報時電波の受信等により、通常モードに復帰時に装置外部から正確な時刻を取得可能であれば、計時部４１４への電力供給を停止してもよい。
【００４０】
スナップショット格納部４０２は、不揮発性記憶媒体であれば任意の媒体を使用可能であるが、本実施形態では上述のようにＨＤＤ３０４によって構成されている。スナップショット格納部４０２は、複合機１００が通常モードにあるときに、複合機１００の各種機能を実現するためのデータが展開される作業メモリであるＲＡＭ３０２のスナップショットを格納する。上述のように、スナップショットは、ＲＡＭ３０２に格納されているデータのイメージデータ（ＲＡＭイメージ）である。
【００４１】
起動処理部４０３は、電力制御部４０１により低消費電力モードから通常モードに移行される際に、スナップショット格納部４０２に格納されたスナップショットを読み出してＲＡＭ３０２上に復帰させる。このとき、時刻取得部４０４は、計時部４１４から時刻情報を取得し、当該時刻情報を起動処理部４０３による復帰に対応する時刻（以下、起動時刻という。）として保持する。また、本実施形態では、後述のように、複数のスナップショットが格納される構成であるため、スナップショット格納部４０２から読み出されるスナップショットは、スナップショット選択部４０６により選択される構成になっている。
【００４２】
退避処理部４０５は、電力制御部４０１により通常モードから低消費電力モードに移行される際に、ＲＡＭ３０２のスナップショットをスナップショット格納部４０２に格納する。このとき、退避処理部４０５は、時刻取得部４０４から、当該低消費電力モードへの移行の直前になされた、低消費電力モードから通常モードへの移行に対応する起動時刻を取得する。そして、取得した起動時刻と対応づけてスナップショットを格納する。スナップショットと起動時刻とは紐付けされていればよく、起動時刻の保存場所は特に限定されない。本実施形態では、起動時刻はスナップショットとともにスナップショット格納部４０２に格納される構成になっている。
【００４３】
なお、スナップショット選択部４０６は、電力制御部４０１により低消費電力モードから通常モードに移行される際に、当該移行の時刻と上記起動時刻とに基づいて、スナップショット格納部４０２に格納されたスナップショットの中から起動処理部４０３が読み出すスナップショットを選択する。
【００４４】
また、本実施形態の複合機１００は、優先起動部４０７、機能選択部４０８および履歴保持部４０９をさらに備える。優先起動部４０７は、電力制御部４０１により低消費電力モードから通常モードに移行される際に、複合機１００の各種機能を実現するユニット（ここでは、画像読取部１２０、画像形成部１４０、ネットワークアダプタ１６１、ＦＡＸアダプタ１６３）のうち、優先指定された機能を実現するユニットを優先的に実行可能状態にする。また、機能選択部４０８は、電力制御部４０１により通常モードから低消費電力モードに移行される際に、優先起動する機能を選択する。特に限定されないが、本実施形態では、機能選択部４０８は、履歴保持部４０９に保持された、操作履歴に基づいて優先起動させる機能を選択する。なお、履歴保持部４０９は、電力制御部４０１により低消費電力モードから通常モードに移行された後に、複合機１００に対してなされた操作の履歴を保持している。
【００４５】
機能選択部４０８が選択した優先機能を示す情報は、電力制御部４０１による通常モードから低消費電力モードへの移行の際に、退避処理部４０５がスナップショット格納部４０２に格納するスナップショットと対応づけられる。スナップショットと優先機能を示す情報とは紐付けされていればよく、優先機能を示す情報の保存場所は特に限定されない。本実施形態では、優先機能を示す情報はスナップショットとともにスナップショット格納部４０２に格納される構成になっている。
【００４６】
スナップショット選択部４０６は、電力制御部４０１による低消費電力モードから通常モードへの移行の際に、上述のようにして自身が選択したスナップショットに対応づけられた機能を優先起動させる機能として優先起動部４０８に指定する。
【００４７】
図５は、上述した複合機１００が実施する通常モードから低消費電力モード切替手順の一例を示す図である。当該手順は、例えば、複合機１００が通常モードになったことをトリガとして開始する。なお、複合機１００が通常モードになる場合は、電力制御部４１０による電力供給モードの移行のほか、複合機１００の主電源をＯＦＦ状態からＯＮ状態に切り替えたとき（外部から複合機１００への電力供給を開始したとき）等がある。
【００４８】
当該手順が開始すると、まず、電力制御部４０１は、上述した低消費電力モードへの移行条件を満足するまで待機する（ステップＳ５０１Ｎｏ）。低消費電力モードへの移行条件を満足するまでの間に複合機１００に対して操作がなされた場合、操作認識部４１２は、当該操作を履歴保持部４０９に記録する。特に限定されないが、本実施形態では、複合機１００に対してなされた操作として、操作パネル２００を通じた操作を履歴保持部４０９に記録する構成になっている。
【００４９】
電力制御部４０１は、低消費電力モードへの移行条件が満たされたことを検知すると、退避処理部４０５に対して、退避処理の実行を指示する（ステップＳ５０１Ｙｅｓ）。当該指示を受けた退避処理部４０５は、時刻取得部４０４から上述した起動時刻を取得する。また、機能選択部４０８から優先機能を示す情報を取得する（ステップＳ５０２）。なお、機能選択部４０８による優先機能の選択手順については後述する。
【００５０】
起動時刻および優先機能を示す情報を取得した退避処理部４０５は、作業メモリであるＲＡＭ３０２のスナップショットをスナップショット格納部４０２へ格納する（ステップＳ５０３）。退避処理部４０５はスナップショットの格納が完了するまで格納処理を継続し（ステップＳ５０４Ｎｏ）、スナップショットの格納を完了すると、その旨を電力制御部４０１へ通知する（ステップＳ５０４Ｙｅｓ）。
【００５１】
本実施形態では、スナップショット格納部４０２にスナップショットが制限なく格納されてＨＤＤ３０４の記憶容量を浪費することを避けるため、スナップショットの格納数に制限を設けている。すなわち、１日（２４時間）を複数の時間帯に区分し、各区分の時間帯に属するスナップショットの格納数に上限を設けている。
【００５２】
例えば、１区分の時間幅を２時間とし、午前８時を起点として２４時間を１２個の時間帯に区分する事例を説明する。この場合、起動時刻が８時１５分であるスナップショット（以下、スナップショットＡという。）と、起動時刻が９時４０分であるスナップショット（以下、スナップショットＢという。）とは同一の区分に属する。スナップショットＡが先行してスナップショット格納部４０２に格納されている状態で、退避処理部４０５が、スナップショットＢを格納する場合、退避処理部４０５は、まず、同一の時間区分において先に格納されているスナップショット数を確認する。そして、当該スナップショット数が各区分に設定されたスナップショット上限数を超えている場合には、退避処理部４０５は、スナップショットＢを格納する際に、同一の時間区分において先行して格納されているスナップショットのうち最も古いスナップショットを削除する。例えば、本実施形態では、各区分に属するスナップショットの上限数を「１」に設定しているため、退避処理部４０５は、スナップショットＢを格納する際に、同一の時間区分において先行して格納されているスナップショットＡを削除する。すなわち、スナップショット格納部４０２において、１の区分に属するスナップショットは１つだけ格納される。
【００５３】
スナップショット格納部４０２に格納されている各時間区分に属するスナップショット数は、退避処理部４０５が、時間区分とスナップショット数とを対応づけて記録するテーブルを保持し、スナップショットを格納する際に、当該テーブル中のスナップショット数を更新することで容易に管理可能である。また、各時間区分の上限数が「２」以上である場合は、当該テーブルに、スナップショットを特定するための情報と、その格納の先後関係とを記録すればよい。なお、各時間区分の時間幅は同一でなくてもよく、各区分に設定される上限数が異なっていてもよい。これにより、より詳細なスナップショット管理を実行可能になる。
【００５４】
退避処理部４０５からの通知を受けた電力制御部４０１は、動作制御部４１３に低消費電力モードへの移行を指示する（ステップＳ５０５）。当該指示を受けた動作制御部４１３は、低消費電力モードから他の電力供給モードへの移行条件が満たされたことの検知に必要な電力供給を除いて複合機１００の構成要素への電力供給を停止し、手順が終了する。なお、本実施形態では、低消費電力モードへの移行に伴い、履歴保持部４０９が保持している操作履歴も消去される。
【００５５】
ここで、機能選択部４０８による優先機能の選択手順について説明する。図６は、機能選択部４０８が実行する優先機能選択手順の一例を示す図である。当該手順は、例えば、退避処理部４０５からの優先機能を示す情報の取得要求をトリガとして開始する。なお、上述のように、複合機１００が通常モードになった後、低消費電力モードへの移行条件を満足するまでの間に、操作パネル２００を介して複合機１００に対してなされた操作の履歴は履歴保持部４０９に記録されている。
【００５６】
退避処理部４０５から優先機能を示す情報の取得要求を受けた機能選択部４０８は、履歴保持部４０９を参照し、通常モードとなった後、その時点までに実行された機能の有無を確認する（ステップＳ６０１）。実行された機能が存在する場合、機能選択部４０８は、通常モードになった後、最初に実行された機能を優先機能として選択する（ステップＳ６０１Ｙｅｓ、Ｓ６０３）。
【００５７】
一方、実行された機能が存在しない場合、機能選択部４０８は、複合機１００にオートクリア機能が設定されているか否かを確認する（ステップＳ６０１Ｎｏ、Ｓ６０２）。オートクリア機能とは、複合機１００に対する操作がなされない状態が予め登録された指定時間（以下、オートクリア時間という。）に到達したときに、複合機１００を、予め指定されているデフォルト状態に戻す機能である。オートクリア機能が設定されている場合、オートクリア時間が経過すると、例えば、テンキー２１０等を通じて設定された複写部数や複写倍率等の設定がすべて解除されて、複合機１００はデフォルト設定の状態になる。なお、本実施形態では、オートクリア機能が設定される場合、オートクリア時間は、低消費電力モードへの移行条件として指定される時間よりも短い時間に設定される。
【００５８】
複合機１００にオートクリア機能が設定されている場合、機能選択部４０８は、オートクリア機能が作動する直前にディスプレイ２０１に表示されていた操作画面に対応する機能を優先機能として選択する（ステップＳ６０２Ｙｅｓ、Ｓ６０４）。また、複合機１００にオートクリア機能が設定されていない場合、機能選択部４０８は、スナップショットの格納開始時にディスプレイ２０１に表示されていた操作画面に対応する機能を優先機能として選択する（ステップＳ６０２Ｎｏ、Ｓ６０５）。
【００５９】
以上のように、機能選択部４０８は、通常モードにおいて、操作パネル２００を通じて複合機１００が有するいずれかの機能が実行された場合、通常モードになった後、最初に実行された機能を優先機能として選択し、実行された機能が存在しない場合、その通常モードになったときの機能（通常モードへの復帰時にディスプレイ２０１に表示されていた操作画面に対応する機能）を優先機能として選択する。
【００６０】
以上のようにして、低消費電力モードに移行した複合機１００は、上述の通常モードへの移行条件が満たされた場合、低消費電力モードから通常モードへの復帰動作を開始する。図７は、複合機１００が実施する低消費電力モードから通常モードへの切替手順の一例を示す図である。当該手順は、例えば、ユーザによる操作パネル２００を介した指示（例えば、電源キー２０９の押下）が満たされたことをトリガとして開始する。すなわち、当該指示を検知した操作認識部４１２が、電力制御部４０１にその旨を通知することにより手順が開始する。
【００６１】
当該手順が開始すると、電力制御部４０１は、起動処理部４０３に対して、通常モードへの復帰処理の実行を指示する。当該指示を受けた起動処理部４０３は、スナップショット選択部４０６に、スナップショット格納部４０２から読み出すべきスナップショットの選択を指示する。当該指示を受けたスナップショット選択部４０６は、計時部４１４からその時点の時刻を取得し、当該時刻と各スナップショットに対応づけられている起動時刻とに基づいて読み出すべきスナップショットを選択する（ステップＳ７０１）。本実施形態では、上述の時間区分ごとに１のスナップショットが格納されているため、スナップショット選択部４０６は、取得した時刻が属する時間区分のスナップショットを読み出すべきスナップショットとして選択する。このとき、スナップショット選択部４０６は、選択したスナップショットに対応づけられている、優先機能を示す情報を取得する。なお、取得した時刻が属する時間区分に対応するスナップショットがスナップショット格納部４０２に格納されていなかった場合、スナップショット選択部４０６は、隣接する時間区分、さらには他の時間区分に属するスナップショットの中から、例えば、取得した時刻により近い起動時刻が対応づけられたスナップショットを読み出すべきスナップショットとして選択すればよい。また、同一の時間区分に複数のスナップショットを格納する構成を採用する場合は、スナップショット選択部４０６は、例えば、取得した時刻により近い起動時刻が対応づけられたスナップショットを読み出すべきスナップショットとして選択すればよい。
【００６２】
スナップショット選択部４０６は、以上のようにして選択したスナップショットを特定する情報を示す情報を起動処理部４０３に通知する（ステップＳ７０２Ｙｅｓ）。また、優先機能を示す情報を優先起動部４０７に通知する。一方、スナップショットがスナップショット格納部４０２に格納されていなかった場合、その旨を起動処理部４０３に通知する（ステップＳ７０２Ｎｏ）。この場合、起動処理部４０３は、その旨を電力制御部４０１に通知する。当該通知を受けた電力制御部４０１は、予め決められている起動手順（例えば、主電源がＯＦＦ状態からＯＮ状態になった場合の起動手順）にしたがって複合機１００を構成する各要素に電力供給を開始し、複合機１００を通常モードへ移行させる（ステップＳ７０７）。
【００６３】
スナップショット選択部４０６から優先機能を示す情報が入力された優先起動部４０７は、動作制御部４１３を通じて、入力された優先機能を最優先で起動させる（ステップＳ７０３）。このとき、動作制御部４１３は、優先機能を実行するためのユニットに、他のユニットに優先して電力を供給することにより、すべてのユニットを同時並行に起動する場合に比べて短時間でそのユニットを起動する。例えば、優先機能がファクシミリ送信であった場合、画像読取部１２０とＦＡＸアダプタ１６３が他に優先して起動されることになる。
【００６４】
また、スナップショット選択部４０６から読み出すべきスナップショットを特定する情報が入力された起動処理部４０３は、入力された情報にしたがってスナップショット格納部４０２からスナップショットを読み出し、作業メモリであるＲＡＭ３０２上に読み出したスナップショットを展開する（ステップＳ７０４）。また、このとき、起動処理部４０３は、電力制御部４０１へスナップショットを展開する旨を通知する。当該通知により電力制御部４０１は、予め決められている起動手順と異なる起動であることを認識し、動作制御部４１３による優先機能の起動の完了後に、他のユニットの起動を指示する。
【００６５】
起動処理部４０３はスナップショットの展開が完了するまで展開処理を継続し（ステップＳ７０５Ｎｏ）、スナップショットの展開が完了すると、その旨を優先起動部４０７へ通知する（ステップＳ７０５Ｙｅｓ）。このとき、優先起動部４０７は、表示制御部４１１に対して優先起動した機能に対応する操作画面を表示させる（ステップＳ７０６）。
【００６６】
以上説明したように、この複合機１００では、低消費電力モードから通常モードに移行する際に、その移行時刻に応じた状態で復帰させることができる。そのため、例えば、特定の時間帯に特定の機能を使用する日常的業務を実施するようなオフィスでは、当該時間帯に複合機１００を低消費電力モードから通常モードに復帰させると、従来に比べて、日常的業務で使用する機能の使用に、より適した状態で復帰されることになる。また、スナップショットを作業メモリ上に復帰する構成であるため、オペレーティングシステムやアプリケーションソフトを順次起動する構成に比べて、短時間で複合機１００を操作可能状態にすることができる。
【００６７】
また、複合機１００では、その日常的業務で使用する機能が優先して起動する。そのため、すべての機能を同時並行に起動し、その起動が完了するまで使用することができなかった従来構成に比べて、日常的業務で使用する機能が使用可能になるまでの複合機１００の起動時間を短くすることができる。すなわち、操作可能状態に短時間で復帰できることとの相乗効果により、従来に比べてより速やかに複合機１００の使用を開始することができる。また、仮に、復帰されたスナップショットに基づいてディスプレイ２０１に表示される操作画面に対応する機能と、優先起動する機能とが相違する場合でも、通常モードへの復帰時に、優先起動された機能に対応する操作画面をディスプレイ２０１に表示することもできる。
【００６８】
さらに、機能選択部４０８が履歴保持部４０９に格納された操作履歴に基づいて優先機能を選択する構成であるため、例えば、低消費電力モードから通常モードに移行した複合機１００においてある機能が使用され、その後、他の操作がなされた場合でも、低消費電力モードに移行したときの複合機１００の状態に関わらず、通常モードに移行後に最初に使用された機能を優先起動する機能として指定することができる。
【００６９】
加えて、作業メモリ上のデータをＨＤＤ等の不揮発性記憶媒体に格納する構成であるため、低消費電力モード時の消費電力を極めて小さくすることができる。
【００７０】
なお、上記では、機能選択部４０８が履歴保持部４０９に格納された操作履歴に基づいて優先機能を選択する構成について説明したが、機能選択部４０８は、時間帯に応じて予め指定された機能を選択する等、他の手法によって優先機能を選択する構成であってもよい。
【００７１】
また、上述の実施形態では、優先起動部４０７および機能選択部４０８を備える構成を説明したが、これらの要素は、本発明に必須の要素ではない。例えば、複合機の前からユーザが立ち去ったことを、センサ等を使用して検知する機能を有する複合機では、ユーザが立ち去った後、直ちに、低消費電力モードに移行する構成を採用することができる。この場合、低消費電力モード移行時のスナップショットを起動時刻とともに格納し、上記実施形態のように、低消費電力モードから通常モードへ移行する際の時刻と、スナップショットに対応づけられた起動時刻とに基づいて、読み出すスナップショットを選択することで、少なくとも、従来に比べて、日常的業務で使用する機能の使用に、より適した状態で複合機を復帰させることができる。また、所定時間の経過により低消費電力モードに移行する複合機であっても、当該所定時間を短く設定することで、同様の効果を得ることができる。
【００７２】
以上のように、本発明によれば、低消費電力モードから通常モードへの復帰の際に、通常モードに復帰した画像処理装置が有するいずれかの機能を使用しようとするユーザにとって、従来に比べてより適切な状態で復帰させることが可能になる。
【００７３】
なお、上述した実施形態は本発明の技術的範囲を制限するものではなく、既に記載したもの以外でも、本発明の範囲内で種々の変形や応用が可能である。例えば、図５〜図７に示したフローチャートは、等価な作用を奏する範囲において、各ステップの順序を適宜変更可能である。
【００７４】
また、複合機がユーザ、あるいはユーザが所属する組織情報を識別する認証機能を有している場合、上記スナップショットは、ユーザごと、あるいは組織情報ごとに格納されてもよい。これにより、より適切な状態で複合機を通常モードに復帰させることができる。
【００７５】
さらに、上述の実施形態では、スキャナ機能、印刷機能および送信機能を有するデジタル複合機として本発明を具体化したが、このようなデジタル複合機に限らず、複数の機能を有する任意の画像処理装置に本発明を適用することも可能である。
【産業上の利用可能性】
【００７６】
本発明によれば、低消費電力モードから通常モードへ復帰する際に、ユーザにとって従来に比べてより適切な状態で復帰させることができ、画像処理装置として有用である。
【符号の説明】
【００７７】
１００  複合機（画像処理装置）
１２０  画像読取部
１４０  画像形成部
１６１  ネットワークアダプタ
１６３  ＦＡＸアダプタ
２０１  ディスプレイ（表示部）
３０２  ＲＡＭ（作業メモリ）
３０４  ＨＤＤ（スナップショット格納部）
４０１  電力制御部
４０２  スナップショット格納部
４０３  起動処理部
４０４  時刻取得部
４０５  退避処理部
４０６  スナップショット選択部
４０７  優先起動部
４０８  機能選択部
４０９  履歴保持部
【図１】
2012249220.tif 000003
【図２】
2012249220.tif 000004
【図３】
2012249220.tif 000005
【図４】
2012249220.tif 000006
【図５】
2012249220.tif 000007
【図６】
2012249220.tif 000008
【図７】
2012249220.tif 000009